(57)【特許請求の範囲】
【請求項１】
下部に嵌め溝が設けられ、上部に嵌め片が突出形成される多数の前方スライド接続部と、
下部に嵌め溝が設けられ、上部に嵌め突起片が突出形成され、下部面に嵌め突起片を挿入できるようにする挿入穴が設けられる多数の後方スライド接続部と、を備えて、前後方向のスライド移動によって接続又は分離できるようにしてあると共に、
上部面後方にスクリベット接続穴が形成された突出片が形成され、下部面の後方に突出片挿入空間が設けられ、突出片挿入空間の後方にスクリベット接続穴が形成されたことを特徴とする、電池ケース。
【請求項２】
上部面後方に後端部が傾斜面となった上部係止突起が突出形成され、下部面後方に、前記上部係止突起に対応するとともに先端部が傾斜面となった下部係止突起が凹入形成されたことを特徴とする、請求項１に記載の電池ケース。
【発明の詳細な説明】
【技術分野】
【０００１】
本発明は、電池ケースに関し、より詳細には、スライディング組立方式で簡便に上下に積層できるようにした電池ケースに関する。
【背景技術】
【０００２】
本発明は、特に、上下方向に電池を積層できるようにする電池ケースに関する。
【０００３】
図１は、従来の電池ケースの前方斜視図で、図２は、従来の電池ケースの積層状態の後方斜視図である。
【０００４】
従来において、上下方向に電池を積層できるようにする電池ケースは、図１及び図２に示すように、内部中央に電池収容部２１が設けられ、下部面後方両側に嵌め溝（図示せず）が形成されると同時に、上部面後方両側に、それに対応する嵌め突起２２が形成され、上部面前方中央に締結穴２３が形成された形態である。
【０００５】
従来の電池ケース２０は、上部面後方両側の嵌め突起２２に下部面後方両側の嵌め溝を挿入結合し、多数を上下方向に連続的に積層できるものであるが、多数を連続的に積層した後、後面に設けられた３ヶ所の締結溝２４に別途の締結ガイドプレートを組み立て、最終的に多数のスクリューで各締結ガイドプレートと各電池ケースを締結することによって、組み立て途中に一部が離脱する場合が多く発生するとともに、組立性が悪いため組立時間が多くかかり、組立費用が多くかかるという問題があった。
【０００６】
また、従来の電池ケース２０は、その前方部の組み立てのために一つの長ボルトを上部面前方中央の締結穴２３に貫通させた後、ナットで締結することによって、前方部の左右両側のコーナーが広がるという問題があり、不良電池ケースを取り替えるとき、不良電池ケース以外の他の電池ケースまで分離しなければならないので、取り替え作業が非常に煩雑になるという問題があった。
【発明の概要】
【発明が解決しようとする課題】
【０００７】
本発明は、前記のような従来の電池ケースの欠陥を勘案してなされたもので、その目的は、より簡便かつ堅固に上下方向に積層できるようにする電池ケースを提供することにある。
【課題を解決するための手段】
【０００８】
前記目的を達成するための本発明の電池ケースは、前方と後方にそれぞれ多数のスライド接続部を設けて、前後方向のスライド移動によって接続又は分離できるようにしたことを特徴とする。
【０００９】
すなわち、本発明の電池ケースは、下部に嵌め溝が設けられ、上部に嵌め片が突出形成される多数の前方スライド接続部と、下部に嵌め溝が設けられ、上部に嵌め突起片が突出形成され、下部面に嵌め突起片を挿入できるようにする挿入穴が設けられる多数の後方スライド接続部とを備えて、前後方向のスライド移動によって接続又は分離できるようにした。
【００１０】
本発明の電池ケースにおいて、上部面後方に後端部が傾斜面となった上部係止突起を突出形成し、下部面後方に、前記上部係止突起と対応するとともに先端部が傾斜面となった下部係止突起を凹入形成すると、下部電池ケースの上部係止突起と上部電池ケースの下部係止突起とが互いに噛み合い、下部電池ケースの上部の正確な位置で組み立てられた上部電池ケースの前後方向の移動を防止できるようになる。
【００１１】
併せて、本発明の電池ケースにおいて、上部面後方にスクリベット接続穴が形成された突出片を形成し、下部面の後方に突出片挿入空間を設けて、突出片挿入空間の後方にスクリベット接続穴を形成すると、スクリベットを通して下部電池ケースの上部の正確な位置で組み立てられた上部電池ケースの前後方向の移動を防止することができる。
【発明の効果】
【００１２】
本発明によると、下部電池ケースに上部電池ケースを載せて前方に移動させることによって、簡便に上部電池ケースを組み立てられるため組立性を大きく改善することができ、組立時間及び組立費用を大きく節減することができ、組み立てに必要な部品の減少によって原価節減に大きく寄与するとともに、不良電池ケースの発生時に該当の電池ケースのみを分離して取り替えられるため、取り替え作業が容易になるという効果がある。
【図面の簡単な説明】
【００１３】
【図１】図１は、従来の電池ケースの前方斜視図である。
【図２】図２は、従来の電池ケースの積層状態の後方斜視図である。
【図３】図３は、本発明の第１の実施例の積層状態の斜視図である。
【図４】図４は、本発明の第１の実施例の積層状態の要部切除斜視図である
【図５】図５ａ及び図５ｂは、本発明の第１の実施例の組み立て前後の前方スライド接続部の切除斜視図である。
【図６】図６ａ及び図６ｂは、本発明の第１の実施例の組み立て前後の後方スライド接続部の切除斜視図である。
【図７】図７ａ及び図７ｂは、本発明の第１の実施例の組み立て前後の係止突起部位の切除斜視図である。
【図８】本発明の第２の実施例の積層状態の斜視図である。
【図９】図９ａ及び図９ｂは、本発明の第２の実施例の組み立て前後の突出片部位の切除斜視図であり、図９ｃは、本発明の第２の実施例のスクリベット締結後の突出片部位の切除斜視図である。
【発明を実施するための形態】
【００１４】
以下、添付の図面に示した実施例を通して本発明の具体的な技術内容をより詳細に説明する。
【００１５】
図３は、本発明の第１の実施例の積層状態の斜視図で、図４は、本発明の第１の実施例の積層状態の要部切除斜視図である。
【００１６】
図３及び図４の第１の実施例のように、本発明の電池ケース１００は、前方と後方にそれぞれ多数のスライド接続部１１０、１２０を設けて、前後方向のスライド移動によって接続又は分離できるようにした。
【００１７】
本発明の電池ケース１０において、前方スライド接続部１１０は、下部には嵌め溝１１１が設けられ、上部には嵌め片１１２が突出形成される形態で構成される。
【００１８】
そして、後方スライド接続部１２０は、下部に嵌め溝１２１が設けられ、上部に嵌め突起片１２２が突出形成され、下部面に嵌め突起片１２２を挿入できるようにする挿入穴１２３が設けられた形態で構成される。
【００１９】
図３及び図４に示した第１の実施例は、前方両側端部に合計２個の前方スライド接続部１１０が設けられ、後方両側端部と後方中央に合計３個の後方スライド接続部１２０が設けられた形態を有する。
【００２０】
図５ａ及び図５ｂは、本発明の第１の実施例の組み立て前後の前方スライド接続部の切除斜視図で、図６ａ及び図６ｂは、本発明の第１の実施例の組み立て前後の後方スライド接続部の切除斜視図である。
【００２１】
本発明の電池ケース１００は、その上部に積層しようとする新しい電池ケース１００を載せた後、これを前方に押して簡便に接続できるもので、図５ａに示すように、下部の第１の電池ケース１００の前方スライド接続部１１０の嵌め片１１２の後方に積層しようとする上部の第２の電池ケース１００の前方スライド接続部１１０の嵌め溝１１１を位置させると同時に、図６ａに示すように、第２の電池ケース１００の後方スライド接続部１２０の下部面に形成された挿入穴１２３を第１の電池ケース１００の後方スライド接続部１２０の嵌め突起片１２２に挿入した後、第２の電池ケース１００を前方に押すと、図５ｂ及び図６ｂに示すように、第２の電池ケース１００の各前方スライド接続部１１０の嵌め溝１１１が第１の電池ケース１００の各前方スライド接続部１１０の嵌め片１１２に挿入結合されると同時に、第２の電池ケース１００の各後方スライド接続部１２０の嵌め溝１２１が第１の電池ケース１００の各後方スライド接続部１２０の嵌め突起片１２２に挿入結合され、第１の電池ケース１００の上部の正確な位置に第２の電池ケース１００が組み立てられる。
【００２２】
図３〜図６ｂに示した第１の実施例は、各後方スライド接続部１２０の嵌め突起片１２２の上端に密着傾斜リブ１２４が形成され、その結果、第２の電池ケース１００の各後方スライド接続部１２０の嵌め溝１２１が第１の電池ケース１００の各後方スライド接続部１２０の嵌め突起片１２２に挿入結合されるとき、密着傾斜リブ１２４が嵌め溝１２１の内部上端面に堅固に密着されることによって第２の電池ケース１００の上下方向の移動が防止される。
【００２３】
一方、本発明の第１の実施例の電池ケース１００は、上部面後方中央両側に後端部が傾斜面となった上部係止突起１３１が突出形成され、下部面後方中央両側に、前記上部係止突起１３１に対応するとともに先端部が傾斜面となった下部係止突起１３２が凹入形成される。
【００２４】
図７ａ及び図７ｂは、本発明の第１の実施例の組み立て前後の係止突起部位の切除斜視図である。
【００２５】
第１の実施例は、図７ａに示すように、第２の電池ケース１００の下部係止突起１３２の前方に第１の電池ケース１００の上部係止突起１３１を位置させた後、第２の電池ケース１００を前方に押すと、図７ｂに示すように、第１の電池ケース１００の上部係止突起１３１と第２の電池ケース１００の下部係止突起１３２とが互いに噛み合い、第１の電池ケース１００の上部の正確な位置で組み立てられた第２の電池ケース１００の前後方向の移動が防止される。
【００２６】
図８は、本発明の第２の実施例の積層状態の斜視図で、図９ａ及び図９ｂは、本発明の第２の実施例の組み立て前後の突出片部位の切除斜視図で、図９ｃは、本発明の第２の実施例のスクリベット締結後の突出方部位の切除斜視図である。
【００２７】
図８〜図９ｃに示した本発明の第２の実施例は、上部面後方中央両側にスクリベット接続穴１４１が形成された突出片１４２を形成し、下部面の後方中央両側に突出片挿入空間１４３を設けて、突出片挿入空間１４３の後方にスクリベット接続穴１４４を形成したものである。
【００２８】
第２の実施例は、図９ａに示すように、第２の電池ケース１００の突出片挿入空間１４３の内部に第１の電池ケース１００の突出片１４２を挿入した後、第２の電池ケース１００を前方に押すと、図９ｂに示すように、第１の電池ケース１００の突出片１４２に形成されたスクリベット接続穴１４１と第２の電池ケース１００の突出片挿入空間１４３に設けられたスクリベット接続穴１４４とが密着し、突出片挿入空間１４３の後方からスクリベット１５０を両側のスクリベット接続穴１４４、１４１を順次貫通するように締結すると、第１の電池ケース１００の上部の正確な位置で組み立てられた第２の電池ケース１００の前後方向の移動が防止される。
【００２９】
以上説明したように、本発明の電池ケース１００は、下部の電池ケース１００の上部に載せた後、前後方向にスライド移動させることによって簡便に組み立てることができ、組み立て途中にも電池ケースが離脱しなくなる。
【００３０】
また、プラスチック製のスクリベット１５０を使用して組み立てられた上部電池ケースと下部電池ケースとをワンタッチで堅固に固定することができ、不良電池ケースの取り替え時に不良電池ケースのみを分離することができる。
【００３１】
以上説明した本発明は、上述した説明に限定されるものではなく、本発明の技術的思想を逸脱しない範囲内で多様な置換、変形及び変更が可能であることは、本発明の属する技術分野で通常の知識を有する者にとって明らかであろう。
【図１】
0005496355.tif 000002
【図２】
0005496355.tif 000003
【図３】
0005496355.tif 000004
【図４】
0005496355.tif 000005
【図５ａ】
0005496355.tif 000006
【図５ｂ】
0005496355.tif 000007
【図６ａ】
0005496355.tif 000008
【図６ｂ】
0005496355.tif 000009
【図７ａ】
0005496355.tif 000010
【図７ｂ】
0005496355.tif 000011
【図８】
0005496355.tif 000012
【図９ａ】
0005496355.tif 000013
【図９ｂ】
0005496355.tif 000014
【図９ｃ】
0005496355.tif 000015